(57)【要約】      （修正有）【課題】広告効果を高め、より有効に活用できるランドセルカバーを提供する。【解決手段】ランドセルの冠に取り外し可能に被せることができる。ランドセルカバー１であって、表面に蛍光色を有するカバー本体１０と、カバー本体の裏面の下端部に設けられ、ランドセルのバックルをポケット穴に通して冠の下端部を挿入するための下端ポケットと、カバー本体の上端部をランドセルの二本の肩ベルトの上端部に固定するための固定部材又は固定部材を取り付けるための固定部材取付部と、カバー本体の表面に設定された広告域１３とを備える。【選択図】図１
0003214391.tif 000002
【実用新案登録請求の範囲】
【請求項１】
ランドセルの冠に取り外し可能に被せることができるランドセルカバーであって、
表面に蛍光色を有するカバー本体と、
前記カバー本体の裏面の下端部に設けられ、ランドセルのバックルをポケット穴に通して前記冠の下端部を挿入するための下端ポケットと、
前記カバー本体の上端部をランドセルの二本の肩ベルトの上端部に固定するための固定部材又は固定部材を取り付けるための固定部材取付部と、
前記カバー本体の表面に設定された広告域とを備えるランドセルカバー。
【請求項２】
前記広告域は、前記カバー本体の表面における、前記ランドセルカバーをランドセルに被せた時にほぼ垂直となる下方領域に設定される請求項１に記載のランドセルカバー。
【請求項３】
前記カバー本体は表面に反射材を備える請求項１又は２に記載のランドセルカバー。
【請求項４】
前記反射材は左右に長い帯状の部材である請求項３に記載のランドセルカバー。
【請求項５】
前記反射材は、前記カバー本体の表面における下端から若干離れて設けられ、前記広告域は、前記反射材より上方の第１広告域と、下方の第２広告域とに分けられる請求項４に記載のランドセルカバー。
【考案の詳細な説明】
【技術分野】
【０００１】
本考案はランドセルに被せるランドセルカバーに関する。
【背景技術】
【０００２】
小学校に通う児童のランドセルに被せるランドセルカバーは従来から一般的に使用されている。ランドセルカバーは、ランドセルの冠（蓋）に取り外し可能に取り付けられ、ランドセルを雨や損傷から保護したり、ランドセルカバーに反射材や蛍光色を付与することにより、ドライバーが児童の存在を認識し易くする等の役割を果たす。
【考案の概要】
【考案が解決しようとする課題】
【０００３】
本考案者は、ランドセルカバーが被せられたランドセルを背負って多数の児童が通学路等を通る際、ランドセルカバーが一般人等の目に留まり易い点に着目し、ランドセルカバーに広告を付すことでランドセルカバーをより有効に活用できることを見出した。
【課題を解決するための手段】
【０００４】
本考案によれば、ランドセルの冠に取り外し可能に被せることができるランドセルカバーであって、表面に蛍光色を有するカバー本体と、前記カバー本体の裏面の下端部に設けられ、ランドセルのバックル（差込み及び錠前）をポケット穴（図２の２ａ参照）に通して前記冠の下端部を挿入するための下端ポケットと、前記カバー本体の上端部をランドセルの二本の肩ベルトの上端部に固定するための固定部材又は固定部材を取り付けるための固定部材取付部と、前記カバー本体の表面に設定された広告域とを備えるランドセルカバーが提供される。
【０００５】
本考案に係るランドセルカバーは、ランドセルの差込み及び錠前をカバー本体の裏面の下端部に設けた下端ポケットのポケット穴に通してランドセルの冠の下端部を下端ポケットに挿入し、カバー本体の上端部を固定部材によりランドセルの二本の肩ベルトの上端部に固定することにより、ランドセルの冠に被せることができる。固定部材の具体例として、例えば、ゴム紐等の紐、バックルや面ファスナー等を有するベルトやストラップ等を挙げることができるが、これらに限定されるものではない。ゴム紐等は必ずしもランドセルカバーに付属している必要はなく、各家庭で用意することができる。固定部材取付部は、例えば、ゴム紐等を通す穴や上記ベルトやストラップ等の端部が固定される部分である。
【０００６】
本考案では、カバー本体の表面の広告域に広告を印刷等によって付すことで、本ランドセルカバーをランドセルに被せた児童が通学路等を歩く際、前記広告が人目に付き易く、ランドセルカバーを有効に活用することができる。広告域には、商品やサービスの営利目的の広告の他、非営利的な学校の理念や目標、交通安全の標語やマーク等を付すことができる。カバー本体や下端ポケットはポリエステル、ナイロン、アクリル等の合成繊維、好ましくはポリエステルから作られるが、これらに限定されるものではない。
【０００７】
本考案の一実施形態において、前記広告域は、前記カバー本体の表面における、前記ランドセルカバーをランドセルに被せた時にほぼ垂直となる下方領域に設定される。本ランドセルカバーをランドセルの冠に被せると、冠の上方の湾曲状部分に対応する上方領域と、冠のほぼ垂直な部分に対応する下方領域とに実質的に区分されるが、上方又は斜め上方を向く上方領域に比べ、正面を向く下方領域の方が人目に付き易く、広告効果が高まる。
【０００８】
本考案の一実施形態において、前記カバー本体は表面に反射材を備える。反射材は、光を反射する部材であり、車両のライト等を反射することにより、児童の存在をドライバーが認識し易くなる。限定はしないが、前記反射材は左右に長い帯状の部材とすることができる。
【０００９】
本考案の一実施形態において、前記反射材は、前記カバー本体の表面における下端から若干離れて設けられ、前記広告域は、前記反射材の上方の第１広告域と、下方の第２広告域に分けられる。この場合、例えば、より広い第１広告域に商品やサービスの広告を付し、より狭い第２広告域に広告主の名称やロゴ等を付すことができる。
【考案の効果】
【００１０】
本考案に係るランドセルカバーでは、人目に付き易いカバー本体の表面に広告域を設けることにより、ランドセルカバーを有効に活用することができる。
【図面の簡単な説明】
【００１１】
【図１】図１は、本考案の一実施形態に係るランドセルカバーの表面図である。
【図２】図２は図１のランドセルカバーの裏面図である。
【考案を実施するための形態】
【００１２】
以下、本考案の好適な実施形態を図面を参照しつつ説明するが、本考案はそのような実施形態に限定されるものではない。図１及び２は、本考案の一実施形態に係るランドセルカバー１の表面図及び裏面図である。ランドセルカバー１は、上下方向にやや長いほぼ長方形状のポリエステル製のカバー本体１０と、カバー本体１０の裏面（図２参照）の下端部に設けられた下端ポケット２と、カバー本体１０の裏面の上端部に設けられた後述する固定部材であるゴム紐を通すための固定部材取付部としての二つの鳩目（穴）３と、カバー本体１０の裏面において鳩目３より下方に設けられたずれ防止ストラップ４とを備える。
【００１３】
カバー本体１０は、ランドセル（図示せず。以下、同じ。）の冠（蓋）と同じ大きさに設定され、その表面全域に蛍光色が付与されている。下端ポケット２は、ランドセルの冠の下端から下方に延びるバックル（差込み及び錠前）を通すためのポケット穴２ａを有する。二つの鳩目３には固定部材の一例であるゴム紐（図示せず）が通され、このゴム紐がランドセルの二本の肩ベルトの上端部に結び付けられる。ゴム紐はランドセルカバー１に付属する場合の他、家庭で用意してもよい。ずれ防止ストラップ４は、その左右両端がカバー本体１０の裏面の左右両辺にそれぞれ縫い付けられる。下端ポケット２及びずれ防止ストラップ４もカバー本体１０と同じポリエステル製であり、下端ポケット２及びずれ防止ストラップ４の表面（カバー本体１０の表面とは反対側を向く面）にも蛍光色が付与されている。図２を参照して、カバー本体１０の上端部にもポリエステル製で表面に蛍光色を有する補強部５が設けられている。この補強部５は鳩目３の補強とカバー本体１０の上短部のめくれを防ぐ役割を果たす。
【００１４】
図１を参照して、カバー本体１０の表面は、ランドセルカバー１をランドセルに被せた時に冠の上方の湾曲状部分に対応する上方領域１１と、冠における前記湾曲状部分から下方のほぼ垂直な部分に対応する下方領域１２とに区分される。この上方領域１１と下方領域１２との区分は厳密なものではないが、本実施形態において説明の便宜のため図１の仮想線Ｌで上下方領域１１、１２を分けている。カバー本体１０の表面には、下方領域１２の後述する反射材１４を除く全域が広告域１３として設定される。広告域１３には、商品やサービスの広告を印刷等により付すことができる。なお、広告域１３には、非営利目的の学校の教育目標、交通安全の標語等を付すこともできる。
【００１５】
カバー本体１０の裏面における下端より上方には、左右方向に長い帯状の反射材１４がカバー本体１０の横幅全長にわたって取り付けられている。この反射材１４は車両のライトを反射することにより、ドライバーが、ランドセルカバー１が被せられたランドセルを背負う児童の存在を認識し易くする役割を果たす。反射材１４により、カバー本体１０の下方領域１２に設定された広告域１３は、反射材１４により上方で比較的広い第１広告域１３ａと、下方で比較的狭い第２広告域１３ｂとに分けられる。第２広告域１３ｂには、例えば第１広告域１３ａの広告の広告主の名称やロゴ等を付すことができる。なお、図１では、第１広告域１３ａに、「こうつうあんぜん」という文字と、その下の二人の児童が手を上げて横断歩道を渡る絵とが広告の一例として付され、第２広告欄１３ｂには何も付されていない。
【００１６】
ランドセルカバー１をランドセルに取り付ける場合、まずランドセルの冠を、その下端（及び差込み及び錠前）を先頭にカバー本体１０の裏面のずれ防止ストラップ４の下に通し、次いで下端ポケット２に入れ、ポケット穴２ａから差込み及び錠前を出す。これにより、冠の下端部が下端ポケット２内に収容される。次いで、二つの鳩目３に通されたボム紐（図示せず）をランドセルの二本の肩ベルトの上端部に結び付ける。これにより、ランドセルカバー１がランドセルに取り付けられる。通学路等を歩く児童のランドセルカバー１の広告域１３は人目に付きやすく、広告効果を高めることができる。
【符号の説明】
【００１７】
１  ランドセルカバー
２  下端ポケット
２ａ  ポケット穴
３  鳩目（固定部材取付部）
４  ずれ防止ストラップ
５  補強部
１０  カバー本体
１１  上方領域
１２  下方領域
１３  広告域
１３ａ  第１広告域
１３ｂ  第２広告域
１４  反射材
Ｌ  仮想線
【図１】
0003214391.tif 000003
【図２】
0003214391.tif 000004